(57)【要約】      （修正有）【課題】安価で使い勝手も良く、マスクを衛生的に保管することができるマスクケースを提供する。【解決手段】マスクを収納するためのマスクケース１であって、マスクケース上面部２とマスクケース下面部３を重ね合わせることにより形成され、マスクケース上面部２とマスクケース下面部３の少なくとも一部を係止して残りの箇所を開放した状態とし、マスクケース上面部２の表面積がマスクケース下面部３の表面積より小さいこと、を特徴とする。【選択図】図１
0003229151.tif 000002
【実用新案登録請求の範囲】
【請求項１】
マスクを収納するためのマスクケースであって、
マスクケース上面部とマスクケース下面部を重ね合わせることにより形成され、
当該マスクケース上面部とマスクケース下面部の少なくとも一部を係止して残りの箇所を開放した状態とし、
当該マスクケース上面部の表面積が当該マスクケース下面部の表面積より小さいこと、
を特徴とするマスクケース。
【請求項２】
前記マスクケース上面部の表側に折りたたみ指示部を設けることを特徴とする請求項１に記載のマスクケース。
【請求項３】
前記マスクケース上面部の表側に印刷可能部を設けることを特徴とする請求項１又は２に記載のマスクケース。
【請求項４】
前記マスクケース下面部の内側に衛生加工部を設けることを特徴とする請求項１から３のいずれか１項に記載のマスクケース。
【請求項５】
前記衛生加工部が、抗菌性を有するプラスチックフィルムであることを特徴とする請求項４に記載のマスクケース。
【請求項６】
前記請求項１から５に記載のマスクケースの素材が紙であることを特徴とするマスクケース。
【考案の詳細な説明】
【技術分野】
【０００１】
本考案はマスクを収納するためのケースに関するものである。
【背景技術】
【０００２】
近年では、花粉症対策や風邪やインフルエンザウィルス等への予防のため、綿や不織布からなるマスクが使用されている。この中でも不織布タイプのマスクはその利便性等から売り上げを伸ばしており需要者に利用される機会も多くなっている。この不織布タイプのマスクは、従来の布製マスクに比べて安価であり利便性が高く、１〜２日程度で使い捨てにされることが多い。人によっては車の運転時や食事等の一時的にマスクを外すときに捨てるケースもあり資源の無駄遣いに繋がることが懸念される。
【０００３】
この様なマスクの使用頻度は、以前に比べて増加傾向にあり、１０年前と比較して２倍以上の生産数量にまで及ぶものである。この需要は特に新型インフルエンザウィルス等の流行が発生した際は急激需要が高まり、マスク不足に陥ってしまう傾向がある。２０２０年初頭より流行の新型コロナウィルス（ＣＯＶＩＤ−１９）の流行の際も同様にマスクの需要が大きく高まり、マスクの品薄状態が数カ月に渡って生じてしまった。また、今回のマスクの供給不足が解消したとしても、再度この様な事態が起こる可能性も考えられる。
【０００４】
こういったケースに陥った場合に、普段は不織布マスクを使い捨てで使用していた人も簡単には使い捨てにはせずに、一定の期間は使用し続けることが考えられる。また、普段でも１〜２日使用していた人であっても、従来から食事のときや車の運転等の外気に触れることがないときにはマスクを外すことが多かった。このようにマスクを外す場合は、普段感染等に気を付けている人であっても、無造作にポケットに入れたり、車のダッシュボートに入れたりしており、衛生面からも清潔に保管しているとは言い難い状況が多い。
この様に、短期間の使用でマスクを廃棄することを防いだり、マスクを一時的かつ衛生的に収容したりすることを目的としたマスク入れ（マスクケース）が検討されている。
【０００５】
例えば、特許文献１には、抗菌性の樹脂製シートを中央部で折り曲げて重ね合わせ、この折り曲げ部に隣接する少なくとも一方の辺を溶着して、マスク収納部を形成し、溶着されていない辺をマスクの出入口としたマスクケースが開示されている。
【先行技術文献】
【特許文献】
【０００６】
【特許文献１】実用新案登録第３１５８３１７号公報
【考案の概要】
【考案が解決しようとする課題】
【０００７】
しかしながら、特許文献１に記載のマスクケースには抗菌性の樹脂製シートを用いられているため衛生的に使用頻度を保つことができるものの、製造コストがかかり購入には一定の費用が発生するものであった。従って、購入したとしてもマスクを着用して外出する際にはマスクケースを持参しなければならず、仮に忘れてしまったような場合は上記のように衛生的な一時保管ができない状況に陥ってしまう。また、特許文献１のようなマスクケースは折りたたみ機能を持たないため、服のポケットなどに収まりにくいことも多く使い勝手が悪い場合があった。
【課題を解決するための手段】
【０００８】
本考案はこれらの課題に鑑み、安価で使い勝手も良く、マスクを衛生的に保管することができ、場合によっては折りたたむことにより、ポケット等に入りやすい形状に折りたたむことで収納性を高めることができるマスクケースを提供する。
【考案の効果】
【０００９】
本考案のマスクによれば、マスクを衛生的に保管することができ、場合によっては折りたたむことにより、ポケット等に入りやすい形状に折りたたむことで収納性を高め、材料に紙を用いることにより製造コストも抑えることができるマスクケースを提供できる。さらに、材料として紙を使用しているため、安価で一定数の購入が可能で様々な場所に置いておくことができる。さらに、一定の使用頻度を達成すればそのままマスクと一緒に廃棄することもできるため、使い勝手も優れたマスクケースを提供することが可能となる。
【図面の簡単な説明】
【００１０】
【図１】本考案の実施形態のマスクケースの概要図である。
【図２】本考案の実施形態のマスクケースの展開図である。
【図３】本考案の実施形態のマスクケースにマスクを収納した状態を示す図である。
【図４】本考案の第２の実施形態のマスクケースの概要図である。
【図５】本考案の第３の実施形態のマスクケースの概要図である。
【図６】本考案のマスクケースに衛生加工部を設けた状態を示す図である。
【考案を実施するための形態】
【００１１】
以下、本考案の実施形態について図１〜図６に基づいて説明する。図１は本実施形態のマスクケースの概要図、図２は本実施形態のマスクケースの展開図を示す。本実施形態のマスクケース１は図１に示すように、一方の辺の長さが他方の辺の長さよりも長い略長方形状となる。また、図１に示す通り、本実施形態のマスクケース１は、マスクケース上面部２とマスクケース下面部３が重なり合う構造をなしており、マスクケース上面部２とマスクケース下面部３は一方の辺の長さが他方の辺の長さよりも長い略長方形状である。図２に示す通り、マスクケース下面部３の横手方向の長さ（短い方の辺の長さ：ａ）は、マスクケース上面部２の横手方向の長さ（短い方の辺の長さ：ｂ）と比べて長いものである。マスクケース下面部３の横手方向の長さ（短い方の辺の長さ：ａ）は、マスクを収納した際にマスクケース１からはみ出すことなく収納できる程度の長さであれば特に限定されるものではないが、マスクケース上面部２の横手方向の長さ（短い方の辺の長さ：ｂ）より１〜２ｃｍ長いものである事が好ましい。この様にマスクケース上面部２の一辺の長さを少し短くすることにより、マスクケース１を形成した際に、マスクケース１を開きやすくなるためマスク１０の収納がスムーズとなる。なお、マスクケース上面部２とマスクケース下面部３の長手方向の長さ（長い方の辺の長さ）は同じ長さ（それとほぼ同等の長さを含む）である。なお、本実施形態のマスクケース１は略長方形状としたがそれに限定されるものではなく、略正方形状のものや略平行四辺形状や菱形状のマスクケースも製造可能である。
【００１２】
本実施形態のマスクケース１は、前記マスクケース上面部２とマスクケース下面部３を重ね合わせることにより形成する。マスクケース１の略長方形状の４辺のうち、少なくとも隣り合う２辺で上下の層を固定することにより図１に示すように、一部が閉じられた状態で一部が開放された状態となるマスクケース１を形成する。本実施形態のマスクケース１は、図２に示すように一枚の紙をマスクケース上面部２とマスクケース下面部３とに分け、ママスクケース下面部３の短辺側の長さがマスクケース上面部２の短辺側の長さより長い状態となるようにマスクケース１の長辺側のラインと略平行になるように折り曲げることにより、マスクケース上面部２とマスクケース下面部３とを重ねた（これによりマスクケース１の長辺側の辺が固定された状態となる）。次に、当該マスクケース１の長辺側の辺と隣接する短辺側の辺（本実施形態においては図１および２の紙面下方向）を固定し、上述のようにマスクケース１の略長方形状の４辺のうち、少なくとも隣り合う２辺で上下の層を固定する状態とした。本実施形態において短辺側の辺の固定は糊付けにより行ったが、特にそれに限定されるものではなく、ホッチキスにより留めても良いし、テープ類等で貼り付けても良い。なお、糊付けによる係止は機械による生産が可能となるため、生産性が向上するといったメリットが得られる。
【００１３】
本実施形態のマスクケース１は上述の様に、１枚の紙を折りたたむことにより、マスクケース上面部２とマスクケース下面部３を形成したが、本考案はこれに限られるものではない。この他にも、マスクケース上面部２とマスクケース下面部３を別体の紙で用意して製造することも可能である。
【００１４】
本実施形態のマスクケース１の素材としては紙を用いた。紙を素材として使用することにより、マスクケース１の加工や製造が容易となり、製造コスト削減にも繋がる。さらに、プラスチック等の素材と比較しても紙であるため印刷等も容易であり、会社名やロゴ等、様々な内容をマスクケース１に印刷することが可能となる。これにより、現時点であまり普及しているとは言い難いマスクケース１を広告にも使うことができ、マスクケース１の普及に効果を奏するだけではなく、衛生的なマスク管理が広まることによってコロナウィルス等の感染予防にも大きな効果を奏することが期待できる。また、使用者においても、マスクケース１を持ち歩くことが容易になり、汚れや紛失や破損等の管理面に捕らわれることなく煩わしさから解放される点でも優れる。
【００１５】
本実施形態のマスクケース１に使用した紙は上質紙である。なお、本実施形態のマスクケース１はこれに限定されるものではなく、その他にもコート紙等、一定の硬さを持った紙も使用可能である。
【００１６】
図３は、本実施形態のマスクケース１にマスク１０を収納した状態を示す図である。本実施形態のマスクケース１は上述の通り、略長方形状の４辺のうち、少なくとも隣り合う２辺で上下の層を固定することにより形成されている（本実施形態においては２辺を固定したマスクケース１を使用）。従って、マスク１０を収納する際には図３に示すように固定されていない方の２辺を開くようにして内側のスペースを確保した状態とし、そのスペースにマスク１０を挿入することによりマスクケース１に収納した状態とする。
【００１７】
図４は本考案の第２の実施形態のマスクケース１の概要図である。第２の実施形態のマスクケース１は、前述の実施形態のマスクケース（図１）のマスクケース上面部２に折りたたみ指示部５を設けたものである。第２の実施形態のマスクケース１においては、マスクケース上面部２の長手方向の向かい合う２辺の中央部および横手方向の向かい合う２辺の中央部を結ぶように折りたたみ指示部５を形成する。本第２の実施形態においては折りたたみ指示部５は破線で示す直線で示す状態で設けた。これにより、マスクケース１の使用者は、マスクを収納した後にポケット等に本マスクケースをしまう際に、当該折りたたみ指示部５の破線に沿って折り曲げることによりコンパクトにしまうことが可能となる。長手方向の破線、横手方向の破線のいずれかで折りたたんでもよく、双方折りたたむことも可能である。さらに、マスクケース上面部２とスクケース下面部３が長手方向の辺で結合されている方と反対のマスクケース上面部２の辺の近傍部に、マスクケース下面部３の表面上に折りたたみ指示部５を破線の直線を、当該マスクケース上面部２の辺と略平行になるように形成する。これにより、マスクケース下面部３のマスクケース上面部２からはみ出した部分をマスクケース上面部２に被せるように折りたたむことが可能となり、中に収納したマスク１０が外に出ないように蓋をした状態にすることが可能となる。この様に、折りたたみ指示部５を設けることにより、煩雑な折りたたみを防ぐことができ紙製のマスクケース１を綺麗で清潔な状態で管理することが可能となる。
【００１８】
図５は本考案の第３の実施形態のマスクケース１の概要図である。第３の実施形態のマスクケース１は、マスクケース上面部２の表面に印刷可能部６を設けたものである。本第２の実施形態のマスクケース１は図５に示す通り、当該印刷可能部として短辺側の係止部４の上側（中央側）と、マスクケース上面部２の略中央部、及びマスクケース下面部３のマスクケース上面部２の長辺側端部近傍に設けた。当該印刷可能部６はマスクケース１のその他のすでに印刷されている文字やデザイン等とは別に、後から印刷を追加して実施できるように空白として残しておく部分となる。当該印刷可能部６には、例えばマスクケース１に社名や会社情報を記載することによってマスクケース兼広告媒体としても使用することが可能となる。また、使用者（もしくはマスクケース配布者）の要望に応じて、マスクケース１の本体のデザインを適宜変更することも可能となる。さらに、本実施形態のようにマスクケース下面部３のマスクケース上面部２の長辺側端部近傍に印刷可能部６を設け、当該箇所にマスク１０の収納方向などを記載することも可能である。これにより、後述の衛生加工部７にマスク１０の口側にあたる部分が収まるように使用者に収納を誘導することも可能となる。この様により、印刷可能部６を設けることによりニーズに応じたマスクケースを提供することが可能となる。なお、本第３の実施形態のマスクケース１では上述の印刷可能部６を設けたが特に限定されるものではなく、１箇所のみでも良いし２箇所以上に設けることも可能である。
【００１９】
図６は本考案の第４の実施形態のマスクケース１の概要図である。第４の実施形態のマスクケース１はマスクケース下面部３の内側（マスク１０を収納する側）の略中央部に衛生加工部７を設けたものである。当該衛生加工部７は、マスク１０を収納した際に清潔に保つために衛生的な加工を行うものである。本第４の実施形態のマスクケース１では、衛生加工部７として、抗菌性を有するプラスチックフィルムをマスクケース下面部３の内側略中央部に設けることにより形成した。なお、衛生加工部はそれに限定されるものではなく、木綿糸（コットン）を平織りにした布（いわゆるガーゼ）を略長方形状に形成したものをマスクケース下面部３の内側に設け、当該布のアルコール類を吹き付けることができるような衛生加工部７を形成しても良い。他にも、抗菌性能を発揮するコーティング剤をマスクケース下面部３の内側略中央部に塗布することにより衛生加工部７とすることもできる。この様な衛生加工部７をマスクケース１に設けることにより、マスクを脱着して収納や取り出しをする場合であっても、マスク１０の口側の箇所を当該衛生加工部７に向けて収納することによって清潔に衛生的に管理することが可能となる。
【００２０】
（その他の実施形態）
本考案は、上記実施形態によって記載したが、これに限定されるものではなく、それぞれの実施形態を組み合わせた実施形態も含まれるものである。また、この開示の一部をなす論述及び図面は本考案を限定するものではない。本考案はここでは記載していない様々な実施形態等を含むことは当然のことである。従って、本考案の技術的範囲は上記の説明から妥当と解釈しうる、実用新案登録請求の範囲に係る考案特定事項によって定められるものである。
【符号の説明】
【００２１】
１    マスクケース
２    マスクケース上面部
３    マスクケース下面部
４    係止部
５    折りたたみ指示部
６    印刷可能部
７    衛生加工部
１０  マスク
【図１】
0003229151.tif 000003
【図２】
0003229151.tif 000004
【図３】
0003229151.tif 000005
【図４】
0003229151.tif 000006
【図５】
0003229151.tif 000007
【図６】
0003229151.tif 000008